(57)【特許請求の範囲】
【請求項１】
用時開通可能な仕切り部によって区画された複数の収容室を有するバッグ本体と、該バッグ本体の縦方向一方側端に取り付けられた注出口と、前記バッグ本体の縦方向他方側端に設けられた吊掛部と、前記バッグ本体に挟持させた挟持体とを備えた輸液バッグであって、
前記輸液バッグは、前記挟持体が前記バッグ本体の縦方向他方側端からの抜脱を防止するストッパーをさらに備え、
前記バッグ本体は、少なくとも吊掛部に隣接する第１収容室に液剤が収容され、
前記挟持体は、互いに連結された一対の挟持片と、前記吊掛部を覆う被覆部とを有し、
前記一対の挟持片は、前記被覆部が前記吊掛部を覆うように前記第１収容室の他方側に前記バッグ本体を横切るようにして配置され、
前記一対の挟持片間の隙間は、前記液剤の収容された第１収容室を区画する仕切り部が開通することにより前記挟持体が前記第１収容室上を縦方向一方側へスライド可能となるような寸法に形成され、
前記挟持体は、前記一方側へ移動させることにより、前記吊掛部を露出させるように構成されていることを特徴とする輸液バッグ。
【請求項２】
前記挟持体は、縦方向にスライドし易いよう前記挟持片の前記バッグ本体と接する面に凹凸部が形成されていることを特徴とする請求項１に記載の輸液バッグ。
【請求項３】
前記凹凸部は、縦方向に延びることを特徴とする請求項２に記載の輸液バッグ。
【請求項４】
前記バッグ本体は、前記収容室内の内容量を計測するための目盛りが付されていることを特徴とする請求項１〜３のいずれかに記載の輸液バッグ。
【請求項５】
前記挟持体は、該挟持体を縦方向にスライドさせる際の牽引力を付与し得る指掛け部を有することを特徴とする請求項１〜４のいずれかに記載の輸液バッグ。
【発明の詳細な説明】
【技術分野】
【０００１】
本発明は、輸液バッグ、特に、用時開通可能な仕切り部によって区画された複数の収容室を有し、使用時にこれら複数の収容室の少なくとも一つを手のひら等で押圧することで仕切り部が開通して複数の収容室を連通させることにより、それら複数の収容室の各々に収容されていた内容物を混合させるようにした輸液バッグに関する。
【背景技術】
【０００２】
従来のこの種の輸液バッグは、ダブルバッグ、複室容器等とも称されるが、仕切り部を開通せずに、即ち、複数の収容室の内容物を混合させずに使用することがないよう、様々な未混合防止機構が工夫されている。
【０００３】
そのような未混合防止機構として、例えば、輸液バッグを吊り下げるための懸垂孔を保護部材で覆い、その保護部材を、仕切り部を開封して懸垂孔に隣接する収容室から液状薬剤を他の収容室に移動させることにより懸垂孔から取り外すことができるようにした機構（特許文献１）等が知られている。
【特許文献１】特開２００５−２４５６７７号公報
【発明の開示】
【発明が解決しようとする課題】
【０００４】
しかしながら、上記従来の未混合防止機構では、保護部材が一方の収容部全体を覆うため大型化且つ嵩高となる。そのためコスト高、搬送に不利、輸液バッグを折り畳み難い、廃棄物容量の増大、等の問題を生じる。
【０００５】
そこで、本発明は、未混合防止機構を備える輸液バッグであって、上記従来の問題を解消し得る輸液バッグを提供することを目的とする。
【課題を解決するための手段】
【０００６】
上記目的を達成するため、本発明に係る輸液バッグは、用時開通可能な仕切り部によって区画された複数の収容室を有するバッグ本体と、該バッグ本体の縦方向一方側端に取り付けられた注出口と、前記バッグ本体の縦方向他方側端に設けられた吊掛部と、前記バッグ本体に挟持させた挟持体とを備えた輸液バッグであって、前記輸液バッグは、前記挟持体が前記バッグ本体の縦方向他方側端からの抜脱を防止するストッパーをさらに備え、前記バッグ本体は、少なくとも吊掛部に隣接する第１収容室に液剤が収容され、前記挟持体は、互いに連結された一対の挟持片と、前記吊掛部を覆う被覆部とを有し、前記一対の挟持片は、前記被覆部が前記吊掛部を覆うように前記第１収容室の他方側に前記バッグ本体を横切るようにして配置され、前記一対の挟持片間の隙間は、前記液剤の収容された第１収容室を区画する仕切り部が開通することにより前記挟持体が前記第１収容室上を縦方向一方側へスライド可能となるような寸法に形成され、前記挟持体は、前記一方側へ移動させることにより、前記吊掛部を露出させるように構成されていることを特徴とする。
【０００７】
このように、第１収容室を区画する仕切り部の開通前は挟持体の被覆部が吊掛部を覆っているために、輸液バッグの吊り掛けが不能であり患者に混合前の液剤を投与できない。また、バッグ本体の縦方向他方側端から挟持体が抜脱することを防止するストッパーを輸液バッグが有しているために、挟持体を吊掛部に隣接する第１収容室の他方側に配置した状態を保持することができる。これは、輸液バッグの折り畳みにも支障を与えず搬送にも影響を与えない。また、挟持体と吊掛部との距離を短くすることができるため、吊掛部を覆うための被覆部を大きくする必要がなく、低コスト化を図ることができる。さらには、第１収容室開通後に挟持体を取り外さず一方側へ移動させるだけで吊掛部を露出させるよう構成されているため、医療現場での不要物の発生を低減することもできる。
【０００８】
また、前記挟持体は、縦方向にスライドし易いよう前記挟持片の前記バッグ本体と接する面に凹凸部が形成されていてもよい。このように凹凸部を形成することで、挟持体はバッグ本体上を滑らかに移動することができる。なお、この凹凸部は縦方向に延びていることが好ましい。
【０００９】
さらに、前記バッグ本体には、前記収容室内の内容量を計測するための目盛りが付されていてもよい。挟持体がバッグ本体を挟持しながら縦方向一方側へ移動することで、バッグ本体内の液剤を強制的に注出口側へ移動させることができるため、バッグ本体に目盛りを付すことで、正確にバッグ本体内の液剤の残量を計測することができる。
【００１０】
また、前記挟持体は、該挟持体を縦方向にスライドさせる際の牽引力を付与し得る指掛け部を有していてもよい。より容易に挟持体をスライドさせることができる。
【００１１】
なお、特許請求の範囲及び明細書において、「縦方向」とは輸液バッグを輸液スタンドと称される専用のフックに吊り下げた際の上下方向を意味し、「横切り」とは「縦方向」に交差する方向に延在することを意味する。
【発明の効果】
【００１２】
本発明によれば、混合前の液剤を患者に投与することがなく、さらには、輸液バッグを小型化、低コスト化及び易搬送化することができる。
【発明を実施するための最良の形態】
【００１３】
本発明に係る輸液バッグの好適な実施形態について図面を参照しつつ説明する。なお、全図を通し、同様の構成部分には同符号を付した。
【００１４】
輸液バッグ１は、用時開通可能な仕切り部２によって区画された複数の収容室３，４を有するバッグ本体５と、バッグ本体５の縦方向一方側端に取り付けられた注出口６と、バッグ本体５の縦方向他方側端に設けられた吊掛部１１と、バッグ本体５に挟持させた挟持体７と、該挟持体７がバッグ本体５の縦方向他方側端からの抜脱を防止するストッパー１０とを有している。なお、図中、符号８は、未開封保証のためのシールを示す。
【００１５】
バッグ本体５は、少なくとも吊掛部１１に隣接する第１収容室４に液剤が収容されており、他の収容室３は、液剤が収容されている場合と、粉末剤が収容されている場合とがある。
【００１６】
仕切り部２は、図示例では、ヒートシールによって形成されている。バッグ本体５の周縁部５ａもヒートシールされているが、周縁部５ａのヒートシールに比べて、仕切り部２のヒートシールは、シール強度を弱くしてあって、何れかの収容室３，４を手のひら等によって押圧することにより内部圧力が上昇して開通するようになっている。なお、仕切り部２は、ヒートシールに代えて、密閉可能なジッパーの類のものも使用し得る。
【００１７】
挟持体７は、互いに連結された一対の挟持片７ａ，７ｂと、吊掛部１１を覆う被覆部９とを備えている。一対の挟持片７ａ，７ｂは、第１収容室４の他方側でバッグ本体５を横切るようにして配置されており（図１参照）、この状態で挟持体７の被覆部９は吊掛部１１を覆うよう構成されている。一対の挟持片７ａ，７ｂ間の隙間７ｃは、液剤の収容された第１収容室４を区画する仕切り部２が開通することにより第１収容室４上を挟持体７がバッグ本体５の縦方向一方側（図１の下側）へスライド可能となるような寸法に形成されている。この隙間７ｃは、バッグ本体５の大きさや厚さ、液剤の収容量等によって適宜変更できるが、一般には３〜１５ｍｍの範囲にすることにより、収容室４を区画する仕切り部２が開通しないと挟持体７をスライドできないように設定できる。なお、隙間７ｃは、挟持片７ａ，７ｂの全長さに亘って同じ寸法である必要はなく、一端から他端にかけて徐々に狭くすることもできるし、挟持片７ａ，７ｂの長さ方向の中間付近で広くし、両端部付近に近づく程狭くする等、種々の態様を採用し得る。また、挟持体７の縦方向一方側への移動をより確実に防ぐため、挟持体７の縦方向の幅は収容室の容積内容量等を考慮して前記液剤の収容された第１収容室を区画する仕切り部が開通することにより前記挟持体が前記第１収容室上を縦方向一方側へスライド可能となるような寸法に適宜設計されるが、例えば５〜７０ｍｍとすることができる。
【００１８】
ここで、挟持体７は、プラスチックや金属等により形成することができるが、素材については特に限定されず、所望の強度を有するものであればよい。また、挟持片７ａ，７ｂの内面、すなわちバッグ本体５と接する面に、縦向きのエンボス（スライド方向に延設された畝又はリブ）等を設けるか、微小な凹凸を形成すること等により（不図示）、輸液バッグとの接触面積を少なくして、スライドし易くすることもできる。
【００１９】
また、挟持体７は、収容室３，４に液剤等を収容し注出口６が取り付けられたバッグ本体５を製造した後に、いわゆる後付けすることができ、後付けによってバッグ本体５に挟持させる方法として、例えば、一対の挟持片７ａ，７ｂによりバッグ本体５を挟持させた状態で挟持片７ａ，７ｂの両端を嵌合、融着等の公知の手段にて連結するか、或いは、一端がヒンジによって連結された一対の挟持片７ａ，７ｂによりバッグ本体５を挟持させた状態で他端を嵌合、融着等の公知手段により連結する方法がある。このような後付け可能な構成とすることにより、従来方法によって製造された（挟持体を有しない）輸液バッグを利用することができるため、生産設備を大規模に変更することなく、製造することができるというメリットがある。
【００２０】
ストッパー部１０は、バッグ本体５の縦方向他方側の周縁部５ａに形成された突部によって構成することができる。図１に示す例では、ストッパー部１０を構成する突部は、周縁部５ａに固着されたボタンによって形成されている。
【００２１】
次に、上述したように構成された輸液バッグの使用方法について説明する。
【００２２】
仕切り部２が開通していない状態では、挟持体７は、第１収容室４の厚さに基づいてその挟持片７ａ、７ｂの隙間を調整することにより一方側へ移動することが妨げられており、またストッパー１０により他方側へ移動することも妨げられている。したがって、挟持体７は、その被覆部９が吊掛部１１を覆う状態を保持している（図１参照）。
【００２３】
そして、使用する際は、収容室３又は４の少なくともどちらか一方を手で押圧するなどして仕切り部２を開通させる。このように、仕切り部２が開通することにより、第１収容室４から収容室３へと液剤が流通可能となるため、また、仕切り部２が開通したことにより収容室内の容積が増加するため、第１収容室４の厚みが減少し、挟持体７が第１収容室４上を縦方向一方側へ移動可能となる。ここで、挟持体７を一方側へ移動させると、吊掛部１１が露出される（図２参照）。このように、吊掛部１１が露出されたため、輸液バッグ１を輸液スタンドに吊り下げて、液剤を患者に投与することが可能となる。
【００２４】
以上、本発明の実施形態について説明したが、本発明はこれらに限定されるものではなく、本発明の趣旨を逸脱しない限りにおいて種々の変更が可能である。
【００２５】
例えば、挟持体７は、仕切り部２の開通後、一対の挟持片７ａ、７ｂでバッグ本体５を挟持しながら一方側へスライドすることで、収容室内の液剤を一方側へ移動させるとともに、当該挟持体７の位置より注出口６側の収容室内に内圧を生じさせることができる。これによって、挟持体７の位置より注出口６側の収容室内の形状を液剤量に応じて略特定することができ、液剤量に応じた水準高さを得ることができるため、バッグ本体５に目盛りを付すことで、該目盛りと挟持体７の下端又は上端とを合わせて、液剤の残量を正確に計量することができる。なお、挟持体７を透明にして、挟持体７にも目盛りを付すことで、該挟持体７に挟持されて平坦になったバッグ本体５の目盛りと、挟持体７の目盛りとを合わせて、さらに正確に液剤の残量を計量することができる。
【００２６】
また、上記実施形態では、一対の挟持片７ａ，７ｂの両端は連結されているが、それに限らず、その一端のみが連結されていて、その他端は、例えば図３に示す変更態様のように連結されずに折り返した形状とする等により、挟持体７がその他端から抜脱しない構成とされていれば良い。
【００２７】
また、ストッパー部１０を構成する突部は、上記実施形態に示すような周縁部５ａの表面に突出する形態のものに限らず、例えば、図４に示すように、周縁部５ａの縦方向他方端を側方へ突出する形態とすることによっても形成することができる。ストッパー部１０の形態は、挟持体７のスライドを止めることができる構成であれば良く、特に突部に限定されない。例えば、上側（縦方向他方側）の収容室に注出口６と同様の混注口（不図示）を設け、これをストッパー部に兼用することもできる。
【００２８】
なお、図１〜４に示した例では、仕切り部２が横方向に延びる例について説明したが、本発明は、図５に示すように、仕切り部２が縦方向に延びる例にも適用可能である。この例では、収容室３，４の両方に液剤が収容されていることが好ましいが、挟持体５の被覆部９が吊掛部１１を覆う状態を保持していれば、収容室３，４の少なくとも一方に液剤が収容されていればよい。
【００２９】
また、挟持体７には、スライドを容易にするための指掛け孔（不図示）や、強度アップのための横方向リブなどの、種々のオプションを設けることもできる。
【００３０】
以上の説明から明らかなように、本発明に係る輸液バッグによれば、液剤の収容された収容室を開通させなければ挟持体はその被覆部で吊掛部を覆った状態を保持し輸液バッグを吊り下げることができないため、収容室が未開通の状態で収容室内の薬剤を患者に投与することを確実に防ぐことができる。さらに、構成がシンプルであり、安価に製造することができる。挟持体は、吊掛部に隣接する第１収容室の他方側に配置するよう構成されているため、従来に比較して、小型化でき、嵩も低くすることができる。
【図面の簡単な説明】
【００３１】
【図１】本発明に係る輸液バッグの実施形態を示す斜視図である。
【図２】図１の輸液バッグの使用状態を示す斜視図である。
【図３】本発明に係る輸液バッグの他の実施形態を示す斜視図である。
【図４】本発明に係る輸液バッグのさらに他の実施形態を示す斜視図である。
【図５】本発明に係る輸液バッグのさらに他の実施形態を示す斜視図である。
【符号の説明】
【００３２】
１  輸液バッグ
２  仕切り部
３  収容室
４  第１収容室
５  バッグ本体
６  注出口
７  挟持体
７ａ、７ｂ  挟持片
７ｃ  隙間
９  被覆部
１０  ストッパー
１１  吊掛部
【図１】
0004619279.tif 000002
【図２】
0004619279.tif 000003
【図３】
0004619279.tif 000004
【図４】
0004619279.tif 000005
【図５】
0004619279.tif 000006